(57)【特許請求の範囲】
【請求項１】
回転可能な紙送りローラと、この紙送りローラの上部に圧接可能な圧接ローラと、この圧接ローラを回転自在に保持し記録媒体の搬送方向と直交する方向に移動可能な軸受け部材が配設されたローラ保持部材と、前記軸受け部材を前記紙送りローラ側に付勢する弾性部材と、前記記録媒体に印刷可能な印刷手段と、回転可能なプラテンローラと、回転中心が前記プラテンローラに軸支されるとともに前記圧接ローラの前記紙送りローラへの圧接を解除可能な解除レバーと、を備えたプリンタの紙送り機構であって、
前記解除レバーは、前記回動中心から一方と他方に延びる一端部と他端部とを有し、前記他端部が前記ローラ保持部材に保持された前記軸受け部材の回転軸の下部に位置するように配設されるとともに前記一端部には回転可能なカム部材が当接してして配設され、前記カム部材は回転中心から距離の異なる外周辺を有し、
前記カム部材を回転させることにより、前記一端部が往復移動することで前記解除レバーが前記回動中心を支点に回動し、前記他端部が往復移動して前記軸受け部材が上下方向に移動し、前記圧接ローラが前記紙送りローラから接離するようにしたことを特徴とするプリンタの紙送り機構。
【発明の詳細な説明】
【０００１】
【発明の属する技術分野】
本発明はプリンタの紙送り機構に係わり、特に場所をとらない省スペース化が可能なプリンタの紙送り機構に関する。
【０００２】
【従来の技術】
従来のプリンタの紙送り機構は、図１０に示すように、記録媒体Ｐを矢印Ａの搬送方向に搬送可能になっている。
このような従来のプリンタの紙送り機構は、矢印Ａの搬送方向と平行方向に延びて形成された腕状のホルダ２１が配設され、このホルダ２１は、図示右側の先端部寄りにローラ保持部２１ａを有し、このローラ保持部２１ａに圧接ローラ２２が回転自在に保持するようになっている。
【０００３】
前記ホルダ２１の図示左側には、線バネ２３が弾性付勢され、この線バネ２３の付勢力により、圧接ローラ２２が図示下方の紙送りローラ２４に圧接するようになっている。
そして、矢印Ａの搬送方向に送られてくる記録媒体Ｐは、紙送りローラ２４と圧接ローラ２２とで圧接狭持され、矢印Ａの搬送方向における紙送りローラ２４の下流側の印刷手段（図示せず）に搬送可能になっている。
【０００４】
また、ホルダ２１は図示左端部寄りが、Ｄカット状の支持軸２５に直結され、支持軸２５を図示反時計回り方向に回転させることにより、線バネ２３の付勢力に抗してホルダ２１が反時計回り方向に回動すると共に、圧接ローラ２２が紙送りローラ２４から離間して、圧接ローラ２２の紙送りローラ２４への圧接を解除することができる。
また、支持軸２５は所定の角度だけ反時計回り方向に回転すると、駆動源からの回転伝達が解除されて、線バネ２３の作用でホルダ２１が時計回り方向に回動して、圧接ローラ２２が再度紙送りローラ２４に圧接するようになっている。
このような構成の従来の紙送り機構を用いたプリンタは、コンピュータ、あるいはワープロ等の出力機器として広く使用されている。
【０００５】
【発明が解決しようとする課題】
しかし、前述したような従来のプリンタの紙送り機構は、記録媒体Ｐの矢印Ａの搬送方向と平行方向に形成されたホルダ部材２１により、圧接ローラ２２の紙送りローラ２４への圧接、及び圧接解除を行っていたので、矢印Ａの搬送方向における寸法（奥行き寸法）が大きくなっていた。そのために、従来の紙送り機構は奥行き寸法が大きくなるという問題があった。
また、圧接ローラ２２の紙送りローラ２４への圧接解除を行うのに、線バネ２３の付勢力に抗して、支持軸２５を回転させてホルダ２１を直接回動させなければならなかったので、圧接解除時の支持軸２５の回転トルクが大きくなっていた。  そのために、支持軸２５を回転させる駆動源であるモータ等の回転トルクが、大トルクのものが必要となり、消費電力が大きくなる問題があった。
本発明は前述したような問題点に鑑みてなされたもので、プリンタの小型化が可能であると共に、低消費電力を実現可能なプリンタの紙送り機構を提供することを目的とするものである。
【０００６】
【課題を解決するための手段】
前記課題を解決しるための第１の解決手段として本発明のプリンタの紙送り手段は、回転可能な紙送りローラと、この紙送りローラの上部に圧接可能な圧接ローラと、この圧接ローラを回転自在に保持し記録媒体の搬送方向と直交する方向に移動可能な軸受け部材が配設されたローラ保持部材と、前記軸受け部材を前記紙送りローラ側に付勢する弾性部材と、前記記録媒体に印刷可能な印刷手段と、回転可能なプラテンローラと、回転中心が前記プラテンローラに軸支されるとともに前記圧接ローラの前記紙送りローラへの圧接を解除可能な解除レバーと、を備えたプリンタの紙送り機構であって、
前記解除レバーは、前記回動中心から一方と他方に延びる一端部と他端部とを有し、前記他端部が前記ローラ保持部材に保持された前記軸受け部材の回転軸の下部に位置するように配設されるとともに前記一端部には回転可能なカム部材が当接してして配設され、前記カム部材は回転中心から距離の異なる外周辺を有し、
前記カム部材を回転させることにより、前記一端部が往復移動することで前記解除レバーが前記回動中心を支点に回動し、前記他端部が往復移動して前記軸受け部材が上下方向に移動し、前記圧接ローラが前記紙送りローラから接離するようなこうせいとした。
【００１２】
【発明の実施の形態】
本発明のプリンタの紙送り機構を図１〜図９に基づいて説明する。図１は本発明のプリンタの紙送り機構を用いたプリンタを説明する要部斜視図であり、図２は本発明に係わる圧接ローラ半製品の要部斜視図であり、図３は本発明に係わる圧接ローラ半製品の図であり、図４は本発明に係わる圧接ローラの図であり、図５は本発明に係わるローラ保持部材の図であり、図６は本発明に係わる軸受け部材の図であり、図７は本発明に係わる解除レバーの図であり、図８、９は本発明に係わる解除レバーの動作を説明する図である。
【００１３】
本発明のプリンタの紙送り機構を用いたプリンタは、図１に示すように、金属板からなるフレーム１を有し、このフレーム１は、底板１ａと、この底板１ａの図示左右に一対の側板１ｂが一体形成されている。
前記一対の側板１ｂには、円柱状のプラテンローラ２が回転可能に配設されている。このプラテンローラ２はゴム等の摩擦部材で形成されたローラ部２ａを有し、このローラ部２ａの両端部から回転軸２ｂが突出形成され、この回転軸２ｂが側板１ｂに回転可能に軸支されている。
前記プラテンローラ２と対向する図示上方には、ライン式のサーマルヘッド（図示せず）が配設されて、プラテンローラ２に対して接離可能になっている。
【００１４】
また、プラテンローラ２の近傍には、フレーム１の側板１ｂに回転可能に軸支された紙送りローラ３が配設されている。この紙送りローラ３は、プラテンローラ２のローラ部２ａと略同等の長さに形成され、ゴム等の摩擦部材からなる円柱状のローラ部３ａが設けられている。また、ローラ部３ａの両端部からは、回転軸３ｂが突出形成されている。
前記紙送りローラ３の図示上方には、紙送りローラ３に圧接可能な圧接ローラ４が配設されている。この前記圧接ローラ４は、ローラ保持部材５に後述する軸受け部材６を介して回転自在に保持されるようになっている。
【００１５】
前記圧接ローラ４は、図４に示すように、横長の円柱状に形成された金属からなる棒部材４ａを有し、この棒部材４ａの左右両端部寄りの２カ所に、ゴム等の摩擦部材からなる円柱状のローラ部４ｂが形成され、棒部材４ａの左右両端部からは回転軸４ｃが突出形成されている。
このような圧接ローラ４は、後述する軸受け部材６を介してローラ保持部材５に回転自在に保持されている。
【００１６】
前記ローラ保持部材５は、金属板をプレス等により折り曲げて筺状に形成され、図５Ａに示すように、横長で幅寸法が狭く形成された上板５ａを有し、この上板５ａには、一対の側板５ｂ、５ｂが互いに対向して一体形成されている。
また、上板５ａの図示左右端部寄りには、上板５ａから図示下方側に突き出し形成されたバネ係止部５ｃが設けられている。
【００１７】
また、図５Ｂに示す側板５ｂの左右には、後述する軸受け部材６を保持可能な保持部５ｄが形成され、この保持部５ｄは、図示上下方向に形成された溝状のガイド部５ｅと、このガイド部５ｅの図示上部を解放する解放部５ｆとが形成されて構成されている。
また、側板５ｂの保持部５ｄが形成された内側近傍には、圧接ローラ４のローラ部４ｂが位置可能なローラ逃げ部５ｇ、５ｇが切り欠き形成されている。
【００１８】
また、ローラ保持部材５は、図５Ｃに示すように、互いに対向する側板５ｂ、５ｂに挟まれた空洞部５ｈが形成され、この空洞部５ｈの下方側が解放されている。そして、図２に示すように、空洞部５ｈ内に圧接ローラ４の棒部材４ａが位置するようになっている。
また、上板５ａのバネ係止部５ｃが形成された近傍には、矩形状の開口部５ｊが形成されている。このようなローラ保持部材５は、図５Ｂに示す左右両端部がフレーム１の側板１ｂ、１ｂに取付可能になっている。
【００１９】
また、ローラ保持部材５のそれぞれの保持部５ｄには、軸受け部材６が上下動自在に保持可能になっている。前記軸受け部材６は、樹脂材料からなり、図６Ａに示すように、矩形状に形成された軸受け部６ａと、この軸受け部６ａから図示左側に突出する第１ガイド部６ｂと、図示右側に突出するＴ字状の第２ガイド部６ｃとが一体形成されている。
前記第２ガイド部６ｃは、連結部６ｄと抜け止め部６ｅとからなり、この抜け止め部６ｅは連結部６ｄより幅広に形成され、且つ、図６Ｃに示すように、連結部６ｅより下方に延びて形成されている。
また、軸受け部材６は、軸受け部６ａの上面から上方に突出するバネ係止部６ｆが形成されると共に、軸受け部６ａの中央部には軸孔６ｇが貫通形成されている。
前記軸孔６ｇの径寸法は、圧接ローラ４の回転軸４ｃが挿入可能な寸法に形成され、軸孔６ｇに挿入した回転軸４ｃは、回転可能になるようになっている。
【００２０】
前記軸受け部材６は、圧接ローラ４の両端部の回転軸４ｃに軸孔６ｇを挿入した状態で、第１ガイド部６ｂと第２ガイド部６ｃの連結部６ｄとを、ローラ保持部材５の解放部５ｆからガイド溝５ｅに挿入することにより、軸受け部材６を保持部５ｄのガイド溝５ｅに上下動自在に保持可能になっている。
即ち、ローラ保持部材５には、図１に示すように、記録媒体（図示せず）の矢印Ｆの搬送方向と直交する方向に移動可能に保持された軸受け部材６が配設されている。
そして、保持部５ｄに保持した軸受け部材６の軸孔６ｇに挿入された、圧接ローラ４の回転軸４ｃは、軸孔６ｇから外方に所定量だけ突出するようになっている。
【００２１】
また、保持部５ｄに保持した軸受け部材６と、ローラ保持部材５の上板５ａとの間には、圧縮コイルバネからなる弾性部材７が配設されている。この弾性部材７は、両端部が軸受け部材６のバネ係止部６ｆと、ローラ保持部材５のバネ係止部５ｃとに位置決めされて、軸受け部材６が紙送りローラ３側に常時弾性付勢されている。
そして、図３に示すような、軸受け部材５を介してローラ保持部材５に組み付けた状態の圧接ローラ４を圧接ローラ半製品８とする。
この圧接ローラ半製品８は、ローラ保持部材５の長手方向の両端部がフレーム１の側板１ｂの所定位置に取り付け可能になっている。そして、フレーム１の側板１ｂに取り付けられた圧接ローラ半製品８は、保持部５ｄに位置する軸受け部材６が、弾性部材７の作用で常に紙送りローラ３側に弾性付勢されているので、圧接ローラ４が紙送りローラ３に所定の圧力で圧接可能になっている。
【００２２】
また、図１に示すプラテンローラ２の回転軸２ｂには、圧接ローラ４の紙送りローラ３への圧接を解除可能な解除レバー９が回動自在に軸支されている。
この解除レバー９は、樹脂材料等で形成され、図７Ａに示すように、本体部９ａを有し、この本体部９ａの略中央部にプラテンローラ２の回転軸２ｂが挿入可能な回動中心である軸孔９ｂが貫通形成されている。
また、解除レバー９は、回動中心である軸孔９ｂから図示右側の一方に延びる一端部９ｃと、図示左側の他方に延びる他端部９ｄとが形成されている。
このような解除レバー９は、プラテンローラ２に軸支されると、他端部９ｄがローラ保持部材５に保持した軸受け部材６の回転軸４ｃの下部に位置するようになっている。
【００２３】
また、解除レバー９の一端部９ｃには、図８、９に示すように、回転可能な円柱状のカム部材１０が当接して配設されている。このカム部材１０は、解除レバー９の一端部９ｃに当接する部分が、カム部材１０の回転中心から距離の異なる円弧状の円弧部１０ａと平坦部１０ｂとからなる外周辺を有して、断面視略Ｄ字状に形成されている。
また、カム部材１０は、両端部（図示せず）がフレーム１の側板１ｂに回転可能に支持されている。
また、図１に示すプリンタの奥側には、給回転可能な紙ローラ１１が設けられ、この給紙ローラ１１を回転させることにより、記録媒体（図示せず）を矢印Ｆの搬送方向に搬送可能になっている。
【００２４】
前記カム部材１０を回転させたときの、解除レバー９と圧接ローラ４の動作を、図８、９に基づいて説明する。まず、圧接ローラ４が紙送りローラ３に圧接状態にあるときは、カム部材１０の平坦部１０ｂが解除レバー９の一端部９ｃに当接し、他端部９ｄが略水平状になっている。
この状態から、カム部材１０を矢印Ｂ方向に回転させると、円弧部１０ａと平坦部１０ｂとが交わるコーナ部が、解除レバー９の一端部９ｃを押圧することにより、一端部９ｃが矢印Ｃ方向に移動して、解除レバー９が時計回り方向に回動する。
【００２５】
前記解除レバー９を時計回り方向に回動させることにより、解除レバー９の他端部９ｄが上方に移動し、圧接ローラ４の回転軸４ｃを弾性部材７の付勢力に抗して図示上方に押し上げる。そして、圧接ローラ４が紙送りローラ３から離間する。
この圧接ローラ４が紙送りローラ３から離間した状態から、再度圧接状態に戻すには、カム部材１０を正転、あるいは逆転させて図８に示すように、平坦部１０ｂを一端部９ｃに当接させることで、他端部９ｄが略水平状態に戻り、紙送りローラ３から離間していた圧接ローラ４を再度紙送りローラ３に圧接することができる。
【００２６】
即ち、本発明のプリンタの紙送り機構は、解除レバー９の一端部９ｃに当接して配設されたカム部材１０を回転させることにより、一端部９ｃが矢印Ｃ、Ｄ方向に往復移動して解除レバー９が回動する。そして、解除レバー９が回動することで、他端部９ｄが往復移動して、紙送りローラ３に圧接した圧接ローラ４が、紙送りローラ３から接離するようになっている。
【００２７】
前述したような本発明のプリンタの紙送り機構は、記録媒体（図示せず）の矢印Ｆの搬送方向と直交する方向に移動可能な軸受け部材６に圧接ローラを軸支しているので、圧接ローラ４を紙送りローラ３に圧接させるための構造を、記録媒体の搬送方向における寸法を小さくすることができる。そのために、本発明の紙送り機構を用いたプリンタの奥行き寸法を小さくすることができる。
【００２８】
【発明の効果】
本発明のプリンタの紙送り機構は、ローラ保持部材に、記録媒体の搬送方向と直交する方向に移動可能に軸受け部材を保持し、この軸受け部材に圧接ローラを回転自在に軸支して紙送りローラに圧接するようにしたので、記録媒体の搬送方向における寸法を小さくしたプリンタの紙送り機構を提供できる。
そのために、本発明のプリンタの紙送り機構を用いることにより、小型のプリンタを提供できる。
【００２９】
また、前記圧接ローラは両端部から突出する回転軸を有し、前記ローラ保持部材には前記軸受け部材を保持する保持部が形成され、前記圧接ローラの前記回転軸を軸支した状態の前記軸受け部材を、前記ローラ保持部材の前記保持部に保持するようにしたので、圧接ローラをローラ保持部材への組付けが容易となり、組立性の良いプリンタの紙送り機構を提供できる。
【００３０】
また、前記ローラ保持部材には前記軸受け部材を前記紙送りローラ側に弾性付勢する弾性部材を有し、この弾性部材により前記軸受け部材に軸支した前記圧接ローラを前記紙送りローラに圧接するようにしたので、弾性部材の付勢力の全てを、軸受け部材を介して圧接ローラに加えることができる。そのために、弾性部材の付勢力を小さくすることができ組立性が良い。
【００３１】
また、本発明のプリンタの紙送り機構は、ローラ保持部材に記録媒体の搬送方向と直交する方向に移動可能に保持する軸受け部材を有し、この軸受け部材に圧接ローラを回転自在に軸支した状態で、圧接ローラの紙送りローラへの圧接を解除可能な解除レバーを配設したので、解除レバーによって圧接ローラを記録媒体の搬送方向と直交する方向に移動させて、紙送りローラへの圧接を解除することができ、印刷前の記録媒体を確実に印刷手段に給紙、または印刷終了後の記録媒体を確実に排紙可能なプリンタの紙送り機構を提供できる。
【００３２】
また、前記解除レバーは、回動中心がプラテンローラに軸支されると共に、前記回動中心から一方と他方に延びる一端部と他端部とを有し、前記解除レバーを回動させて前記他端部を往復移動させることで、前記紙送りローラに圧接した前記圧接ローラを前記紙送りローラから接離させるようにしたので、解除レバーを軸支するための専用の部材が不要となり、部品点数を削減できると共に、コスト低減が可能なプリンタの紙送り機構を提供できる。
【００３３】
また、前記一端部には回転可能なカム部材が当接して配設され、このカム部材は回転中心から距離の異なる外周辺を有し、前記カム部材を回転させることにより、前記一端部が往復移移動して前記解除レバーが回動するようにしたので、カム部材に加える回転トルクが低トルクでも、容易に解除レバーを回動させることができる。
そのために、カム部材を回転させるための駆動源に、低トルクのモータの使用が可能となり、プリンタの消費電力を小さくすることができる。
【図面の簡単な説明】
【図１】本発明に係わるプリンタを説明する要部斜視図である。
【図２】本発明に係わる圧接ローラ半製品の要部斜視図である。
【図３】本発明に係わる圧接ローラ半製品の図である。
【図４】本発明に係わる圧接ローラの図である。
【図５】本発明に係わるローラ保持部材の図である。
【図６】本発明に係わる軸受け部材の図である。
【図７】本発明に係わる解除レバーの図である。
【図８】本発明に係わる解除レバーの動作を説明する図である。
【図９】本発明に係わる解除レバーの動作を説明する図である。
【図１０】従来のプリンタの紙送り機構を説明する概略図である。
【符号の説明】
１  フレーム
２  プラテンローラ
３  紙送りローラ
３ａ  ローラ部
３ｂ  回転軸
４  圧接ローラ
４ｂ  ローラ部
４ｃ  回転軸
５  ローラ保持部材
５ｄ  保持部
５ｅ  ガイド溝
６  軸受け部材
６ａ  軸受け部
６ｂ  第１ガイド部
６ｃ  第２ガイド部
６ｄ  連結部
６ｇ  軸孔
７  弾性部材
８  圧接ローラ半製品
９  解除レバー
９ａ  本体部
９ｂ  軸孔
９ｃ  一端部
９ｄ  他端部
１０  カム部材
１０ａ  円弧部
１０ｂ  平坦部
１１  給紙ローラ
【図１】
0003764018.tif 000002
【図２】
0003764018.tif 000003
【図３】
0003764018.tif 000004
【図４】
0003764018.tif 000005
【図５】
0003764018.tif 000006
【図６】
0003764018.tif 000007
【図７】
0003764018.tif 000008
【図８】
0003764018.tif 000009
【図９】
0003764018.tif 000010
【図１０】
0003764018.tif 000011